【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
コンテンツの視聴を案内するコンテンツ案内情報処理装置であって、
異なる伝送形態でそれぞれコンテンツを受信するコンテンツ受信部と、
受信したコンテンツを蓄積するコンテンツ蓄積部と、
受信又は蓄積したコンテンツを再生するコンテンツ再生部と、
各伝送形態で受信したコンテンツを統合して提示するためのコンテンツ案内情報を管理するコンテンツ案内情報管理部と、
コンテンツ案内情報を提示する提示部と、
を具備することを特徴とするコンテンツ案内情報処理装置。
【請求項２】
前記コンテンツ受信部は、テレビ放送、ネットワーク経由の配信サービスを経由してそれぞれ番組コンテンツを受信する、
ことを特徴とする請求項１に記載のコンテンツ案内情報処理装置。
【請求項３】
前記コンテンツ案内情報管理部は、各受信コンテンツを伝送形態の相違とは関係なく均一に記述した統合型番組リストをコンテンツ案内情報として管理する、
ことを特徴とする請求項１に記載のコンテンツ案内情報処理装置。
【請求項４】
前記コンテンツ受信部は、テレビ放送の受信に付随して番組メタデータを取得し、あるいは動画番組の配信を行なうサービス・サイトから定期的又は所定のタイミングで番組リストを受信する、
ことを特徴とする請求項２に記載のコンテンツ案内情報処理装置。
【請求項５】
前記コンテンツ案内情報管理部は、コンテンツを前記コンテンツ蓄積部に蓄積する際に、前記コンテンツ案内情報に当該コンテンツの情報を追加登録する、
ことを特徴とする請求項１に記載のコンテンツ案内情報処理装置。
【請求項６】
前記コンテンツ案内情報管理部は、動画番組の配信を行なうサービス・サイトから定期的又は所定のタイミングで番組リストを受信した際に、当該番組リストの内容を前記コンテンツ案内情報に追加登録又は修正登録する、
ことを特徴とする請求項１に記載のコンテンツ案内情報処理装置。
【請求項７】
前記提示部により提示されたコンテンツ案内情報上でユーザが所望のコンテンツを指示するためのユーザ入力部をさらに備え、
前記コンテンツ再生部は、前記ユーザ入力部を介して選択されたコンテンツの再生を起動する、
ことを特徴とする請求項１に記載のコンテンツ案内情報処理装置。
【請求項８】
前記再生部は、再生対象となるコンテンツが前記コンテンツ蓄積部に既に蓄積されている場合には前記コンテンツ蓄積部からコンテンツを読み出して再生し、ネットワーク上の所定のサービス・サイトから配信サービスされている場合にはネットワーク経由でストリーミング再生する、
ことを特徴とする請求項７に記載のコンテンツ案内情報処理装置。
【請求項９】
前記コンテンツ蓄積部は、受信したコンテンツを必要に応じて符号化してから蓄積する、
ことを特徴とする請求項１に記載のコンテンツ案内情報処理装置。
【請求項１０】
前記コンテンツ案内情報は、構造化記述言語を用いて記述される、
ことを特徴とする請求項１に記載のコンテンツ案内情報処理装置。
【請求項１１】
コンテンツの視聴を案内するコンテンツ案内情報処理方法であって、
異なる伝送形態でそれぞれコンテンツを受信するコンテンツ受信ステップと、
受信したコンテンツを蓄積するコンテンツ蓄積ステップと、
受信又は蓄積したコンテンツを再生するコンテンツ再生ステップと、
各伝送形態で受信したコンテンツを統合して提示するためのコンテンツ案内情報を管理するコンテンツ案内情報管理ステップと、
コンテンツ案内情報を提示する提示ステップと、
を具備することを特徴とするコンテンツ案内情報処理方法。
【請求項１２】
前記コンテンツ受信ステップでは、テレビ放送、ネットワーク経由の配信サービスを経由してそれぞれ番組コンテンツを受信する、
ことを特徴とする請求項１１に記載のコンテンツ案内情報処理方法。
【請求項１３】
前記コンテンツ案内情報管理ステップでは、各受信コンテンツを伝送形態の相違とは関係なく均一に記述した統合型番組リストをコンテンツ案内情報として管理する、
ことを特徴とする請求項１１に記載のコンテンツ案内情報処理方法。
【請求項１４】
前記コンテンツ受信ステップでは、テレビ放送の受信に付随して番組メタデータを取得し、あるいは動画番組の配信を行なうサービス・サイトから定期的又は所定のタイミングで番組リストを受信する、
ことを特徴とする請求項１２に記載のコンテンツ案内情報処理方法。
【請求項１５】
前記コンテンツ案内情報管理ステップでは、コンテンツを蓄積する際に、前記コンテンツ案内情報に当該コンテンツの情報を追加登録する、
ことを特徴とする請求項１１に記載のコンテンツ案内情報処理方法。
【請求項１６】
前記コンテンツ案内情報管理ステップでは、動画番組の配信を行なうサービス・サイトから定期的又は所定のタイミングで番組リストを受信した際に、当該番組リストの内容を前記コンテンツ案内情報に追加登録又は修正登録する、
ことを特徴とする請求項１１に記載のコンテンツ案内情報処理方法。
【請求項１７】
前記提示ステップにおいて提示されたコンテンツ案内情報上でユーザが所望のコンテンツを指示するためのユーザ入力ステップをさらに備え、
前記コンテンツ再生ステップでは、前記ユーザ入力ステップにおいて選択されたコンテンツの再生を起動する、
ことを特徴とする請求項１１に記載のコンテンツ案内情報処理方法。
【請求項１８】
前記再生ステップでは、再生対象となるコンテンツが前記コンテンツ蓄積ステップにおいて既に蓄積されている場合には蓄積済みコンテンツを読み出して再生し、ネットワーク上の所定のサービス・サイトから配信サービスされている場合にはネットワーク経由でストリーミング再生する、
ことを特徴とする請求項１１に記載のコンテンツ案内情報処理方法。
【請求項１９】
前記コンテンツ蓄積ステップでは、受信したコンテンツを必要に応じて符号化してから蓄積する、
ことを特徴とする請求項１１に記載のコンテンツ案内情報処理方法。
【請求項２０】
コンテンツの視聴を案内するコンテンツ案内情報の管理を行うための処理をコンピュータ・システム上で実行するようにコンピュータ可読形式で記述されたコンピュータ・プログラムであって、
異なる伝送形態でそれぞれコンテンツを受信するコンテンツ受信ステップと、
受信したコンテンツを蓄積するコンテンツ蓄積ステップと、
受信又は蓄積したコンテンツを再生するコンテンツ再生ステップと、
各伝送形態で受信したコンテンツを統合して提示するためのコンテンツ案内情報を管理するコンテンツ案内情報管理ステップと、
コンテンツ案内情報を提示する提示ステップを備え、
前記コンテンツ受信ステップでは、テレビ放送の受信に付随して番組メタデータを取得し、あるいは動画番組の配信を行なうサービス・サイトから定期的又は所定のタイミングで番組リストを受信し、
前記コンテンツ案内情報管理ステップでは、コンテンツを蓄積する際に前記コンテンツ案内情報に当該コンテンツの情報を追加登録し、あるいは動画番組の配信を行なうサービス・サイトから定期的又は所定のタイミングで番組リストを受信した際に当該番組リストの内容を前記コンテンツ案内情報に追加登録又は修正登録する、
ことを特徴とするコンピュータ・プログラム。
【手続補正２】
【補正対象書類名】明細書
【補正対象項目名】００２４
【補正方法】変更
【補正の内容】
【００２４】
本発明は、上記課題を参酌してなされたものであり、その第１の側面は、コンテンツの視聴を案内するコンテンツ案内情報処理装置であって、
異なる伝送形態でそれぞれコンテンツを受信するコンテンツ受信部と、
受信したコンテンツを蓄積するコンテンツ蓄積部と、
受信又は蓄積したコンテンツを再生するコンテンツ再生部と、
各伝送形態で受信したコンテンツを統合して提示するためのコンテンツ案内情報を管理するコンテンツ案内情報管理部と、
コンテンツ案内情報を提示する提示部と、
を具備することを特徴とするコンテンツ案内情報処理装置である。
【手続補正３】
【補正対象書類名】明細書
【補正対象項目名】００２９
【補正方法】変更
【補正の内容】
【００２９】
そして、コンテンツの再生時には、一覧性のある統合型番組リストを基にユーザ提示・操作用のユーザ・インターフェース画面を生成し、モニタ上に画面出力する。ユーザが再生を指示・選択した番組が自己録画番組であれば、ＨＤＤなどのローカル記憶装置上から対応する番組を読み出してコンテンツ再生を行なう。また、選択された番組がネット番組であれば、所定のサービス・サイトからインターネット経由のストリーミングという形態で対応する番組を再生する。また、コンテンツ蓄積部は、受信したコンテンツを必要に応じて復号化してから蓄積する。また、コンテンツ案内情報は、構造化記述言語を用いて記述される。